【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
熟知しているルートに沿ってナビゲートするためにモバイルナビゲーションデバイスを使用するときに、ユーザエクスペリエンスを改善するための方法であって、
前記モバイルナビゲーションデバイスで、前記モバイルナビゲーションデバイスに関連付けられた現在位置を決定することと、
前記モバイルナビゲーションデバイスで、履歴移動データに少なくとも部分的に基づいて、前記モバイルナビゲーションデバイスに関連付けられた前記現在位置に対応する道路区間が、熟知しているものであるかどうかを決定することと、
前記モバイルナビゲーションデバイスによって、前記モバイルナビゲーションデバイスに関連付けられた前記現在位置に対応する前記道路区間が熟知していないものであると決定したことに応答して、１つまたは複数の非ナビゲーションタスクを処理することと、ここにおいて前記１つまたは複数の非ナビゲーションタスクを処理することは、
前記モバイルナビゲーションデバイスによって、前記現在位置に対応する前記道路区間が熟知していないものである間、前記モバイルナビゲーションデバイスで受信された着信通信の提示をブロックすること、または、
前記モバイルナビゲーションデバイスによって、前記現在位置に対応する前記道路区間が熟知していないものである間、前記モバイルナビゲーションデバイスを取り囲む環境においてメディアが再生されるボリュームを低減すること、
のうちの少なくとも１つを備える、
を備える、方法。
【請求項２】
前記モバイルナビゲーションデバイスに関連付けられた前記現在位置に対応する前記道路区間が熟知しているものであると決定したことに応答して、前記モバイルナビゲーションデバイス上のディスプレイおよびボイスアシスタンスを無効にすることと、
前記モバイルナビゲーションデバイスに関連付けられた前記現在位置に対応する前記道路区間が熟知しているものであると決定したことに応答して、前記モバイルナビゲーションデバイスに関連付けられた前記現在位置を決定するために前記モバイルナビゲーションデバイス上の受信機が１つまたは複数の信号を収集する頻度を低減することと
をさらに備える、請求項１に記載の方法。
【請求項３】
前記モバイルナビゲーションデバイスに関連付けられた前記現在位置を進めるために、前記モバイルナビゲーションデバイス上の１つまたは複数の動きセンサーから収集された信号を使用することと、
前記進められた現在位置が熟知していない道路区間に対応することに応答して、前記モバイルナビゲーションデバイス上の前記ディスプレイおよび前記ボイスアシスタンスを有効にすることと
をさらに備える、請求項２に記載の方法。
【請求項４】
前記モバイルナビゲーションデバイスに関連付けられた前記現在位置を進めるために、前記モバイルナビゲーションデバイス上の１つまたは複数の動きセンサーから収集された信号を使用することと、
前記進められた現在位置が熟知していない道路区間に対応することに応答して、前記モバイルナビゲーションデバイスに関連付けられた前記現在位置を決定するために前記受信機が前記１つまたは複数の信号を収集する前記頻度を増加させることと
をさらに備える、請求項２に記載の方法。
【請求項５】
前記モバイルナビゲーションデバイスに関連付けられた前記現在位置に対応する前記道路区間が熟知しているものであり、さらに前記現在位置に対応する前記道路区間が最終ルート目的地を含むと決定したことに応答して、前記モバイルナビゲーションデバイス上で実行しているナビゲーションアプリケーションを自動的に終了することをさらに備える、請求項１に記載の方法。
【請求項６】
前記モバイルナビゲーションデバイスに関連付けられた前記現在位置に対応する前記道路区間を前記道路区間が前に何回横断されたかに少なくとも部分的に基づいて熟知度インデックスに関連付けるナビゲーションデータベースに、前記履歴移動データを記憶することと、
前記道路区間に関連付けられた前記熟知度インデックスがあらかじめ決定されたしきい値を超えることおよび現在速度があらかじめ定義されたスピード制限を超えないことに応答して、前記モバイルナビゲーションデバイスに関連付けられた前記現在位置に対応する前記道路区間が熟知しているものであると決定することと
をさらに備える、請求項１に記載の方法。
【請求項７】
前記モバイルナビゲーションデバイスに関連付けられたルートを計画するようにとの要求を受信することと、ここにおいて、前記要求が、少なくとも、前記ルートに関連付けられた最終目的地を含む、
１つまたは複数の熟知している道路区間に関連付けられた前記熟知度インデックスが前記あらかじめ決定されたしきい値を超えることを示す前記ナビゲーションデータベースに記憶された前記履歴移動データに少なくとも部分的に基づいて、前記１つまたは複数の熟知している道路区間を決定することと、
１つまたは複数の好ましい道路区間が１つまたは複数の前のルート中で横断され、前記１つまたは複数の前のルート中に最初に含まれなかったことを示す前記ナビゲーションデータベースに記憶された前記履歴移動データに少なくとも部分的に基づいて、前記１つまたは複数の好ましい道路区間を決定することと、
前記モバイルナビゲーションデバイスに関連付けられた前記ルートを計算することと、ここにおいて、前記計算されたルートが、前記１つまたは複数の好ましい道路区間と、前記１つまたは複数の熟知している道路区間とを優先する、
をさらに備える、請求項６に記載の方法。
【請求項８】
前記ナビゲーションデータベース中の前記１つまたは複数の熟知している道路区間を、前記履歴移動データに基づいて、前記１つまたは複数の熟知している道路区間が横断されたときを示す日付またはタイムスタンプのうちの１つまたは複数に関連付けることと、
前記１つまたは複数の熟知している道路区間のうちの少なくとも１つがあらかじめ決定された時間期間内に横断されなかったことを示す日付またはタイムスタンプのうちの１つまたは複数に関連付けられた、前記少なくとも１つの熟知している道路区間に関連付けられた前記熟知度インデックスを、減少させることと
をさらに備える、請求項７に記載の方法。
【請求項９】
前記モバイルナビゲーションデバイスに関連付けられた前記現在位置に対応する前記道路区間が前記熟知している道路区間のうちの１つであり、前記ルートに関連付けられた前記最終目的地を含むと決定したことに応答して、前記モバイルナビゲーションデバイス上で実行しているナビゲーションアプリケーションを自動的に終了することをさらに備える、請求項７に記載の方法。
【請求項１０】
前記道路区間があらかじめ定義された距離について実質的にターンを有しないことおよび現在速度があらかじめ定義されたスピード制限を超えないことに応答して、前記モバイルナビゲーションデバイスに関連付けられた前記現在位置に対応する前記道路区間が熟知しているものであると決定することをさらに備える、請求項１に記載の方法。
【請求項１１】
熟知しているルートに沿ってナビゲートするためにモバイルナビゲーションデバイスを使用するときに、ユーザエクスペリエンスを改善するための方法であって、
前記モバイルナビゲーションデバイスで、前記モバイルナビゲーションデバイスに関連付けられた現在位置を決定することと、
前記モバイルナビゲーションデバイスで、前記モバイルナビゲーションデバイスに関連付けられた前記現在位置が熟知している道路区間に対応するかどうかを決定することと、
前記モバイルナビゲーションデバイスで、着信呼を受信することと、
前記モバイルナビゲーションデバイスによって、前記モバイルナビゲーションデバイスに関連付けられた前記現在位置が前記熟知している道路区間に対応する場合、前記着信呼を受け付けることと、
前記モバイルナビゲーションデバイスによって、前記モバイルナビゲーションデバイスに関連付けられた前記現在位置が熟知していない道路区間に対応する場合、前記着信呼を拒否することと、ここにおいて、前記着信呼を拒否することは、前記現在位置から熟知している道路区間までの推定移動時間に基づいて、前記拒否された着信呼が返答されることになる推定時間を示す自動返答メッセージを生成することを備える、
を備える、方法。
【請求項１２】
前記モバイルナビゲーションデバイスに関連付けられた前記現在位置を更新することと、
前記更新された現在位置が前記熟知している道路区間に対応すると決定したことに応答して、前記拒否された着信呼に自動的に返答することとをさらに備える、請求項１４に記載の方法。
【請求項１３】
熟知しているルートに沿ってナビゲートするためにモバイルナビゲーションデバイスを使用するときに、ユーザエクスペリエンスを改善するための方法であって、
前記モバイルナビゲーションデバイスで、前記モバイルナビゲーションデバイスに関連付けられた現在位置を決定することと、
前記モバイルナビゲーションデバイスで、前記モバイルナビゲーションデバイスに関連付けられた前記現在位置が熟知している道路区間に対応するかどうかを決定することと、
前記モバイルナビゲーションデバイスで、前記現在位置が熟知していない道路区間に対応する間に受信された１つまたは複数の着信メッセージを記憶することと、
前記モバイルナビゲーションデバイスによって、前記現在位置が熟知している道路区間に対応することに応答して、前記１つまたは複数の記憶された着信メッセージを表示することと、ここにおいて、前記現在位置が熟知していない道路区間に対応するまで、前記１つまたは複数の記憶された着信メッセージが表示される、
を備える、方法。
【請求項１４】
現在速度がゼロに等しいことに応答して、前記現在速度がゼロに等しくなくなるまで、前記１つまたは複数の記憶された着信メッセージを表示すること、をさらに備える、請求項１６に記載の方法。
【請求項１５】
請求項１−１４のうちのいずれか一項にしたがった方法を実行するための手段を備える、装置。
【請求項１６】
コンピュータ実行可能命令をその上に記録したコンピュータ可読記憶媒体であって、プロセッサ上で前記コンピュータ実行可能命令を実行することは、前記プロセッサに、請求項１−１４のいずれか一項にしたがった方法を実行させる、コンピュータ可読記憶媒体。